(57)【要約】【課題】釣銭として用いる紙幣や硬貨を残存させて、現金入出金装置における釣銭のリサイクル効率を向上させる。【解決手段】紙幣の投入および引渡しを行う紙幣入出金口１２と、釣銭として用いる紙幣を収納する紙幣釣銭収納庫１５と、紙幣を収納する紙幣回収庫１６と、硬貨の投入を行う硬貨入金口２２と、硬貨の引渡しを行う硬貨出金庫２８と、釣銭として用いる硬貨を収納する硬貨釣銭収納庫２５と、硬貨を収納する硬貨回収庫２６とを備えた現金入出金装置１において、紙幣回収庫１６に釣銭金種以外の紙幣を収納するときの基準収納額を予め設定しておき、入金処理のときに、基準収納額を限度として、紙幣入出金口１２に投入された釣銭金種以外の紙幣を紙幣回収庫１６に収納し、釣銭金種以外の紙幣を収納するときに、基準収納額を超える場合は、入金処理時の売上金額を累積加算した累計売上金額を限度として、釣銭金種以外の紙幣を紙幣回収庫１６に収納する。【選択図】        図１
2008186189.tif 000002
【特許請求の範囲】
【請求項１】
紙幣の投入を行う紙幣入金部と、釣銭として用いる紙幣を収納する紙幣釣銭収納庫と、紙幣を収納する紙幣回収庫と、硬貨の投入を行う硬貨入金部と、釣銭として用いる硬貨を収納する硬貨釣銭収納庫と、硬貨を収納する硬貨回収庫とを備えた現金入出金装置において、
前記紙幣回収庫に、釣銭金種以外の紙幣を収納するときの基準収納額を予め設定しておき、
入金処理のときに、前記基準収納額を限度として、前記紙幣入金部に投入された前記釣銭金種以外の紙幣を前記紙幣回収庫に収納し、
前記釣銭金種以外の紙幣を収納するときに、前記基準収納額を超える場合は、入金処理時の売上金額を累積加算した累計売上金額を限度として、前記釣銭金種以外の紙幣を、前記紙幣回収庫に収納することを特徴とする現金入出金装置。
【発明の詳細な説明】
【技術分野】
【０００１】
本発明は、百貨店やスーパーマーケット、コンビニエンスストア等の小売業の店舗に設置され、店舗に設置されたレジスタへの釣銭用の現金の出金処理や、レジスタから回収する現金の入金処理、および締上処理を行う現金入出金装置に関する。
【背景技術】
【０００２】
従来の現金入出金装置は、紙幣の投入および引渡しを行う紙幣入出金口と、釣銭のための紙幣を収納する紙幣釣銭収納庫と、紙幣を収納する紙幣回収庫と、硬貨の投入を行う硬貨入金口と、硬貨の引渡しを行う硬貨出金口と、釣銭のための硬貨を収納する硬貨釣銭収納庫と、硬貨を収納する硬貨回収庫とを備え、レジスタの釣銭用の現金を出金する出金処理においては、レジ担当者が釣銭金種別の枚数を入力すると、その金種と枚数に応じた紙幣および硬貨をそれぞれ紙幣釣銭収納庫および硬貨釣銭収納庫から繰出し、これらを紙幣入出金口および硬貨出金口へ搬送して引渡している。
【０００３】
また、レジスタから回収する現金を収納する入金処理においては、レジ担当者により紙幣入出金口および硬貨入金口に紙幣および硬貨が投入され、入金金額が確定されると、売上金額を入力させ、釣銭金種と鑑別された紙幣および硬貨は、紙幣釣銭収納庫および硬貨釣銭収納庫に金種別に収納し、釣銭金種以外の紙幣は紙幣回収庫に収納して、各回収庫に売上金額に相当する紙幣および硬貨を収納すると共に、各釣銭収納庫に収納された釣銭金種の紙幣および硬貨をリサイクル使用している（例えば、特許文献１参照。）。
【特許文献１】特開２００５−３８０６２号公報（主に第６頁段落００２８−第９頁段落００５３、第１図、第４図、第５図）
【発明の開示】
【発明が解決しようとする課題】
【０００４】
しかしながら、上述した従来の技術においては、各レジスタからの現金の入金処理の度に、売上金額に相当する現金を各回収庫に収納して各釣銭収納庫に収納された現金を循環使用しているため、釣銭金種を構成する小額金種の紙幣や硬貨が、入金処理の度に各回収庫に収納されてしまい、釣銭として用いる紙幣や硬貨が不足して、釣銭のリサイクル効率が低下し、釣銭の補充頻度が増加するという問題がある。
【０００５】
本発明は、上記の問題点を解決するためになされたもので、釣銭として用いる紙幣や硬貨を残存させて、釣銭のリサイクル効率を向上させる手段を提供することを目的とする。
【課題を解決するための手段】
【０００６】
本発明は、上記課題を解決するために、紙幣の投入を行う紙幣入金部と、釣銭として用いる紙幣を収納する紙幣釣銭収納庫と、紙幣を収納する紙幣回収庫と、硬貨の投入を行う硬貨入金部と、釣銭として用いる硬貨を収納する硬貨釣銭収納庫と、硬貨を収納する硬貨回収庫とを備えた現金入出金装置において、前記紙幣回収庫に、釣銭金種以外の紙幣を収納するときの基準収納額を予め設定しておき、入金処理のときに、前記基準収納額を限度として、前記紙幣入金部に投入された前記釣銭金種以外の紙幣を前記紙幣回収庫に収納し、前記釣銭金種以外の紙幣を収納するときに、前記基準収納額を超える場合は、入金処理時の売上金額を累積加算した累計売上金額を限度として、前記釣銭金種以外の紙幣を、前記紙幣回収庫に収納することを特徴とする。
【発明の効果】
【０００７】
これにより、本発明は、釣銭金種の紙幣や硬貨は、全て紙幣釣銭収納庫および硬貨釣銭収納庫へ収納することができ、釣銭金種を構成する小額金種の紙幣や硬貨を、常に釣銭のために収納しておくことが可能になり、釣銭として用いる紙幣や硬貨を残存させて釣銭のリサイクル効率を向上させることができるという効果が得られる。
【発明を実施するための最良の形態】
【０００８】
以下に、図面を参照して本発明による現金入出金装置の実施例について説明する。
【実施例】
【０００９】
図１は実施例の現金入出金装置を示すブロック図、図２は実施例の出金処理を示すフローチャート、図３は実施例の入金処理を示すフローチャート、図４は実施例の締上処理を示すフローチャートである。
図１において、１は現金入出金装置であり、百貨店やスーパーマーケット、コンビニエンスストア等の小売業の店舗等に設置され、レジスタの担当者（レジ担当者という。）が操作して店舗の売場に設置されている複数のレジスタへ予め収納する釣銭（釣銭準備金という。）の出金およびレジスタから回収された現金の入金を行う機能、締上時に入金金額や出金金額、売上金額、装置内の有高を集計してこれらを記載した伝票を発行する機能等を有している。
【００１０】
２は現金入出金装置１の主制御部であり、現金入出金装置１内の各部を制御して出金処理や入金処理、締上処理等を実行する。
３は記憶部であり、主制御部２が実行するプログラムや主制御部２による処理結果等が格納される。
４は表示部であり、ＬＣＤ等の表示画面を備えており、各種の処理操作の案内および出金処理における出金金額等の入力画面や、入金処理における入金金額やその金種別の枚数等を表示する。
【００１１】
５はカードリーダであり、レジスタの現金を入出金するレジ担当者や売上げの締めを行う管理者等が、それぞれ携帯するＩＤカードを受入れ、そのカード情報を読取る機能を有している。
本実施例のＩＤカードには、レジ担当者や管理者等の利用者の別を示す利用者区分、レジスタを特定する情報としてのレジ番号、およびカードを特定するために情報としてのカード番号等が記録されている。
【００１２】
また、レジ担当者のＩＤカードは、レジスタ毎またはレジ担当者毎に用意され、レジ担当者毎に用意する場合は、そのレジ担当者が複数のレジスタを操作するのであれば、使用するレジスタ毎にＩＤカードが支給される。
６は入力部であり、レジ担当者や管理者が入金処理や出金処理、締上処理等を行うことを指示するための操作キーおよび出金金額等を入力するためのテンキー等により構成されている。
【００１３】
この場合に、表示部４にタッチキー等の入力機能を持たせるようにしてもよい。
７はプリンタ等の伝票印刷部であり、現金入出金装置１による入金処理や出金処理の金額（金種別の枚数を含む。）等を伝票に印刷して発行する機能を有している。
１０は現金取扱部としての紙幣取扱部であり、以下に示す構成を備えている。
１１は紙幣取扱部１０の制御部であり、主制御部２からの指令により、紙幣取扱部１０の各部を制御して紙幣の搬送制御や収納制御等の各種の処理を実行する。
【００１４】
１２は紙幣入出金口であり、紙幣入出金口１２を開閉するための紙幣シャッタが設けられており、レジ担当者等が投入した紙幣（現金）を受入れる本実施例の紙幣入金部としての機能、およびレジ担当者等へ釣銭準備金の紙幣を引渡す本実施例の紙幣出金部としての機能等を有している。
１３は紙幣鑑別部であり、搬入された紙幣の真偽、正損、金種等を鑑別して金種別に計数する。
【００１５】
１４は紙幣一時保留部であり、紙幣入出金口１２に投入され、紙幣鑑別部１３で鑑別、計数された紙幣を集積して一時待機させると共に、一時待機させていた紙幣を繰出す機能を有している。
１５は釣銭収納庫としての紙幣釣銭収納庫であり、釣銭として使用する金種（釣銭金種という。）の紙幣（本実施例では５千円券と千円券）を金種別に収納する収納庫であって、釣銭準備金として出金する紙幣を繰出す機能、および釣銭金種の紙幣を循環使用するために入金が確定された紙幣を収納する機能等を備えており、収納する金種別に保管基準額が設定されている。
【００１６】
１６は紙幣回収庫であり、現金入出金装置１に着脱可能に装着された金庫であって、入金が確定された紙幣が金種別に収納される。
１７は紙幣リジェクト庫であり、紙幣鑑別部１３で偽券や外国紙幣等と鑑別されたリジェクト紙幣や、紙幣回収庫１６に収納できない釣銭金種以外の紙幣が搬送されて収納される。
【００１７】
紙幣取扱部１０には、上記の他に、各部の間を搬送ベルト等で挟持して紙幣を搬送する紙幣搬送路が設けられ、これらの紙幣搬送路の分岐部には紙幣の搬送方向を振分ける紙幣振分機構が設けられている。
２０は現金取扱部としての硬貨取扱部であり、以下に示す構成を備えている。
２１は硬貨取扱部２０の制御部であり、主制御部２からの指令により、硬貨取扱部２０の各部を制御して硬貨の搬送制御や収納制御等の各種の処理を実行する。
【００１８】
２２硬貨入金部としての硬貨入金口であり、硬貨入金口２２を開閉するための硬貨シャッタが設けられており、レジ担当者等が投入した硬貨（現金）を受入れる機能等を有している。
２３は硬貨鑑別部であり、搬入された硬貨の真偽、正損、金種等を鑑別して金種別に計数する。
【００１９】
２４は硬貨一時保留部であり、硬貨入金口２２に投入され、硬貨鑑別部２３で鑑別、計数された硬貨を金種別に集積して一時待機させると共に、一時待機させていた硬貨を繰出す機能を有している。
２５は釣銭収納庫としての硬貨釣銭収納庫であり、釣銭金種の硬貨（本実施例では、５００円、１００円、５０円、１０円、５円、１円からなる全ての金種の硬貨）を金種別に収納する収納庫であって、釣銭準備金として出金する硬貨を繰出す機能、および釣銭金種の硬貨を循環使用するために入金が確定された硬貨を収納する機能等を備えており、収納する金種別に保管基準額が設定されている。
【００２０】
２６は硬貨回収庫であり、現金入出金装置１に着脱可能に装着された金庫であって、入金が確定された硬貨が金種別に収納される。
２７は硬貨リジェクト口であり、硬貨鑑別部２３で偽硬貨や外国硬貨等と鑑別されたリジェクト硬貨等が搬送されて集積され、レジ担当者等に返却される。
なお、硬貨リジェクト口２７は、リジェクト硬貨を収納する収納庫であってもよい。
【００２１】
２８は硬貨出金部としての硬貨出金庫であり、出金処理時に釣銭準備金の硬貨が搬送されて金種別に集積され、これをそのままレジ担当者等へ引渡すように現金入出金装置１に着脱可能に装着されている。
硬貨取扱部２０には、上記の他に、硬貨入金口２２に、投入された硬貨を１枚ずつ分離する図示しない分離部が設けられ、各部の間を搬送ベルト等により硬貨を搬送する硬貨搬送路が設けられ、これらの硬貨搬送路の分岐部には硬貨の搬送方向を振分ける硬貨振分機構が設けられている。
【００２２】
上記の現金入出金装置１の記憶部３には、出金処理のときに、入力された釣銭準備金の金種別の枚数（または金額）に応じた紙幣や硬貨（現金）を、それぞれの釣銭収納庫から繰出して出金する機能、入金処理のときに、投入された現金をそれぞれの鑑別部により鑑別して、それぞれの一時保留部に一時待機させ、入金金額の確定後に釣銭金種の現金をそれぞれの釣銭収納庫に収納すると共に、累計売上金額に達するまでは釣銭金種以外の紙幣を紙幣回収庫１６に収納する機能、カードリーダ５により読取ったレジ番号およびカード番号を基に、同一のレジ番号およびカード番号で記録されている直近の出金情報を抽出して突合せ、その出金情報に突合フラグを立てる突合処理を行う機能、および突合せた出金金額を入金金額から減じて売上金額を算出する機能、締上処理のときに、後述する入出金情報記録テーブルに記録されている前回の締上処理から今回の締上処理までの間の入金情報および突合フラグが付された出金情報を全て読出し、これらを集計して総売上金額を求め、総売上金額から紙幣回収庫１６の有高に相当する金額を減じた額の現金を、それぞれの釣銭収納庫からそれぞれの回収庫へ収納して清算する機能等を有する現金管理処理プログラムが予め格納されており、主制御部２が実行する現金管理処理プログラムのステップにより本実施例の現金入出金装置１のハードウェアとしての各機能手段が形成される。
【００２３】
また、記憶部３には、入金処理時に算出された売上金額を累積加算した累計売上金額が記憶され、紙幣釣銭収納庫１５や硬貨釣銭収納庫２５に金種別に収納されている釣銭金種の紙幣や硬貨の収納枚数が金種別にカウントされて記憶され、紙幣回収庫１６や硬貨回収庫２６に金種別に収納されている紙幣や硬貨の収納枚数（有高）が金種別にカウントされて記憶され、紙幣リジェクト庫１７に収納された釣銭金種以外の紙幣が金種別にカウントされて記憶される他、入金処理時の入金情報や出金情報を記録する図５に示す入出金情報記録テーブルが格納されている。
【００２４】
更に、記憶部３には、レジ担当者毎に付与されたレジ担当者の個人ＩＤに対応させてレジ担当者のパスワードおよびそのレジ番号、カード番号からなる個人登録情報が予め登録され、締上処理までの間に紙幣回収庫１６へ釣銭金種以外の紙幣を収納するときの初期の限度額である基準収納額が予め設定されて格納されている。
本実施例の基準収納額は、締上時の店舗全体の平均的な総売上金額から所定の金額（本実施例では、総売上金額の平均金額の２０％程度）を減じた額として設定されている。
【００２５】
また、本実施例の入出金情報記録テーブルは、図５に示すように、通番、レジ番号、カード番号、個人ＩＤ、処理日時、区分、金額、金種、締上日時、突合等の各枠からなる出金情報または入金情報の記録欄が設けられており、各記録欄の通番枠には処理毎に付与される通し番号が書込まれる。
カード番号枠には、レジ担当者のＩＤカードから読取ったカード番号が書込まれる。
【００２６】
レジ番号枠には、レジ担当者のＩＤカードから読取ったレジ番号が書込まれる。このレジ番号はレジスタ毎に集計する際等に利用される。
個人ＩＤ枠には、レジ担当者が入力した個人ＩＤが書込まれる。
処理日時枠には、入金処理または出金処理を実行したときの日付および時刻が書込まれる。
【００２７】
区分枠には、処理が入金処理であるか出金処理があるかを示す情報が書込まれる。
金額枠には、入金処理または出金処理の入金金額または出金金額が書込まれる。
金種枠の、万、５千・・・１等の各枠には、入金処理または出金処理における金種別の処理枚数がそれぞれ書込まれる。
締上日時枠には、締上処理を実行したときの日付および時刻が書込まれる。この締上日時は、締上処理がされたか否かを示す情報で、これが書込まれたものについては締上処理対象から除外される。
【００２８】
突合枠には、入金処理の際に行われる突合処理により抽出した出金処理に対して、入金処理が行われたことを示す突合フラグ（本実施例では「済」を表す記号またはコード）が書込まれる。
本実施例の入金情報は、前記の区分枠に「入金」と書込まれた記録欄の各情報で構成され、出金情報は、前記の区分枠に「出金」と書込まれた記録欄の各情報で構成される。
【００２９】
以下に、図２に示すフローチャートを用い、Ｓで示すステップに従って本実施例の出金処理について説明する。
Ｓ１、レジスタに収納する釣銭準備金を出金するレジ担当者は、カードリーダ５にレジ担当者のＩＤカードをパスさせる。
これを検知した現金入出金装置１の主制御部２は、現金管理処理プログラムにより、カードリーダ５によってＩＤカードに記録されている利用者区分等のカード情報を読取る。
【００３０】
Ｓ２、カード情報を読取った主制御部２は、表示部４の画面に個人ＩＤおよびパスワードのそれぞれの入力欄を表示した個人ＩＤ等入力画面を表示し、レジ担当者は入力部６のテンキー等によりレジ担当者の個人ＩＤおよびパスワードを入力する。
これを検知した主制御部２は、これらの入力を受付け、入力された個人ＩＤを基に、記憶部３の個人登録情報から該当する個人ＩＤのパスワード等を抽出し、抽出した個人登録情報のパスワードと入力されたパスワードとの一致、並びに個人登録情報と読取ったカード情報とのレジ番号およびカード番号の一致によりＩＤカードの正当性を判定してステップＳ３へ移行する。
【００３１】
Ｓ３、ＩＤカードが正当であることを判定した主制御部２は、カード情報の利用者区分に基づき、そのレジ担当者が操作を許可されている業務の内容を表示したメニュー画面を表示部４の画面に表示する。
Ｓ４、レジ担当者は、表示されたメニュー画面を確認して出金を選択し、入力部６の操作キーから出金処理の操作キーを押下する。
【００３２】
Ｓ５、操作キーの押下により処理の入力を受付けた主制御部２は、出金処理が選択されたことを認識し、表示部４の画面に釣銭金種の金種別の枚数入力欄等を表示した出金内訳入力画面を表示する。
レジ担当者は、入力部６のテンキーにより金種別の出金枚数を入力して出金内訳を入力する。
【００３３】
Ｓ３、出金内訳の入力を受付けた主制御部２は、入力された金種別の枚数により出金すべき金種とその枚数を認識し、記憶部３に記憶されている紙幣釣銭収納庫１５および硬貨釣銭収納庫２５の金種別の紙幣および硬貨の収納枚数を確認し、収納枚数が入力された金種別の枚数以上のときは、出金可能と判定してステップＳ７へ移行する。収納枚数が入力された金種別の枚数未満の場合は、出金不可能と判定し、その旨を表示部４の画面に表示して出金処理を終了させる。
【００３４】
Ｓ７、出金可能と判定した主制御部２は、出金する現金の計数出金処理を実行する。
すなわち、主制御部２は、出金する金種別の紙幣の枚数を記した紙幣出金指令を紙幣取扱部１０の制御部１１へ、出金する金種別の硬貨の枚数を記した硬貨出金指令を硬貨取扱部２０の制御部２１へそれぞれ送出する。
紙幣出金指令を受けた紙幣取扱部１０の制御部１１は、紙幣出金指令の金種に該当する紙幣を紙幣釣銭収納庫１５から紙幣鑑別部１３により鑑別、計数しながら指定された枚数分繰出し、これを紙幣入出金口１２へ搬送して集積する。
【００３５】
また、硬貨出金指令を受けた硬貨取扱部２０の制御部２１は、硬貨出金指令の金種に該当する硬貨を硬貨釣銭収納庫２５から硬貨鑑別部２３により鑑別、計数しながら指定された枚数分繰出し、これを金種別に硬貨出金庫２８へ搬送して集積する。
そして、紙幣の集積を終えた制御部１１は、紙幣入出金口１２の紙幣シャッタを開放してレジ担当者に紙幣を引渡す。
【００３６】
また、硬貨の集積を終えた制御部２１は、硬貨出金庫２８に金種別に集積された硬貨をレジ担当者にそのまま引渡す。
レジ担当者の紙幣入出金口１２からの紙幣の取出しを確認した制御部１１、および硬貨出金庫２８の取出しを確認した制御部２１は、それぞれ出金終了通知を主制御部２へ送出する。
【００３７】
Ｓ８、これらの出金終了通知を受けた主制御部２は、計数出金処理の終了を認識し、読取ったレジ番号およびカード番号、入力された個人ＩＤ、出金処理の処理日時、出金処理の旨の区分、出金した金額、出金した金種別の枚数、空枠の締上日時および突合からなる出金情報を作成し、記憶部３の入出金情報記録テーブルの空欄となっている記録欄に次の通番を付与して出金情報の各情報を書込み、入出金情報記録テーブルを更新すると共に、紙幣釣銭収納庫１５、硬貨釣銭収納庫２５から繰出した金種別の枚数を、記憶部３に記憶されているそれぞれの金種別の収納枚数から減じて、それぞれの金種別の収納枚数を更新する。
【００３８】
Ｓ９、出金情報の記録等を終えた主制御部２は、出金情報を基に印刷データを生成し、これを伝票印刷部７へ送って、出金した金種別の枚数やその合計金額、レジ番号等を印刷した伝票を伝票印刷部７から排出して発行し、レジ担当者は発行された伝票を受取る。
発行した伝票の受取りを確認した主制御部２は、出金処理を終了させ、カードリーダ５によるＩＤカードの検知を待って待機する。
【００３９】
このようにして、本実施例の現金入出金装置１による各レジスタ単位の出金処理が実行され、その出金情報が記憶部３の入出金情報記録テーブルに記録される。
以下に、図３に示すフローチャートを用い、ＳＡで示すステップに従って本実施例の入金処理について説明する。
ＳＡ１、レジスタから回収する現金の入金を行うレジ担当者は、カードリーダ５にレジ担当者のＩＤカードをパスさせる。
【００４０】
これを検知した現金入出金装置１の主制御部２は、上記ステップＳ１と同様にして、ＩＤカードのカード情報を読取る。
なお、出金処理の際に用いたＩＤカードに、破損や紛失等による不具合が生じた場合には、同一レジ番号の他のＩＤカード（カード番号は異なる）を用いるようにする。
この場合には、記憶部３の個人登録情報に、レジ担当者の個人ＩＤに対応させて他のＩＤカードのレジ番号やカード番号を予め登録する。
【００４１】
ＳＡ２、カード情報を読取った主制御部２は、上記ステップＳ２と同様にして、個人ＩＤ等入力画面を表示し、レジ担当者が個人ＩＤおよびパスワードを入力すると、主制御部２は、上記ステップＳ２と同様にして、ＩＤカードの正当性を判定してステップＳＡ３へ移行する。
ＳＡ３、ＩＤカードが正当であることを判定した主制御部２は、上記ステップＳ３と同様にして、メニュー画面を表示する。
【００４２】
ＳＡ４、レジ担当者は、表示されたメニュー画面を確認して入金を選択し、入力部６の操作キーから入金処理の操作キーを押下する。
ＳＡ５、操作キーの押下により処理の入力を受付けた主制御部２は、入金処理が選択されたことを認識し、入金される現金の取込処理を実行する。
すなわち、主制御部２は、入金される紙幣の取込を指示する旨の紙幣取込指令を紙幣取扱部１０の制御部１１へ、入金される硬貨の取込を指示する旨の硬貨取込指令を硬貨取扱部２０の制御部２１へそれぞれ送出する。
【００４３】
紙幣取込指令を受けた紙幣取扱部１０の制御部１１は、紙幣入出金口１２の紙幣シャッタを開放してレジ担当者からの紙幣の投入を受付け、レジ担当者が持参した紙幣を紙幣入出金口１２へ投入すると、これを検知した制御部１１は、紙幣シャッタ閉鎖し、紙幣入出金口１２により受入れた紙幣を紙幣鑑別部１３へ搬送し、その紙幣の真偽、金種等を鑑別して金種別に計数し、真券と鑑別された紙幣を紙幣一時保留部１４へ搬送して一時待機させる。このときリジェクト紙幣と鑑別された紙幣は、紙幣リジェクト庫１７へ搬送されて収納される。
【００４４】
また、硬貨取込指令を受けた硬貨取扱部２０の制御部２１は、硬貨入金口２２の硬貨シャッタを開放してレジ担当者からの硬貨の投入を受付け、レジ担当者が持参した硬貨を硬貨入金口２２へ投入すると、これを検知した制御部２１は、硬貨シャッタ閉鎖し、硬貨入金口２２により受入れた硬貨を硬貨鑑別部２３へ搬送し、その硬貨の真偽、金種等を鑑別して金種別に計数し、真正と鑑別された硬貨を硬貨一時保留部２４へ搬送して金種別に一時待機させる。このときリジェクト硬貨と鑑別された硬貨は、硬貨リジェクト口２７へ搬送されてレジ担当者に返却される。
【００４５】
そして、紙幣の紙幣一時保留部１４への集積を終えた制御部１１、および硬貨の硬貨一時保留部２４への集積を終えた制御部２１は、それぞれ計数した金種別の枚数を記した取込終了通知を主制御部２へ送出する。
ＳＡ６、これらの取込終了通知を受けた主制御部２は、各取込終了通知に記された取込処理における金種別の枚数を記憶部３に一時保存して、現金の取込処理を終了させ、表示部４の画面に金種別の計数結果とその確認を促す旨の文言を表示した計数結果確認画面を表示する。
【００４６】
レジ担当者は、表示された計数結果が正しいと判断した場合は入力部６の操作キーによって「確認」を押下する。表示された計数結果と持参した現金とが一致しないと判断した場合は入力部６の操作キーによって「取消」を押下する。
ＳＡ７、操作キーの押下により指示の入力を受付けた主制御部２は、「確認」の操作キーが押下されたと認識した場合は、入金金額が確定されたと判定してステップＳＡ９へ移行する。「取消」の操作キーが押下されたと認識した場合は、これを返却要求と判定してステップＳＡ８へ移行する。
【００４７】
ＳＡ７、返却要求と判定した主制御部２は、一時待機させた現金の返却処理を実行する。
すなわち、主制御部２は、一時待機させた紙幣の返却を指示する旨の紙幣返却指令を紙幣取扱部１０の制御部１１へ、一時待機させた硬貨の返却を指示する旨の硬貨返却指令を硬貨取扱部２０の制御部２１へそれぞれ送出する。
【００４８】
紙幣返却指令を受けた紙幣取扱部１０の制御部１１は、紙幣一時保留部１４に一時待機させた紙幣を紙幣入出金口１２へ搬送し、紙幣シャッタを開放して投入された紙幣をレジ担当者に返却する。
また、硬貨返却指令を受けた硬貨取扱部２０の制御部２１は、硬貨一時保留部２４に一時待機させた硬貨を硬貨リジェクト口２７へ搬送して投入された硬貨をレジ担当者に返却する。
【００４９】
そして、レジ担当者の紙幣入出金口１２からの紙幣の取出しを確認した制御部１１、および硬貨リジェクト口２７からの硬貨の取出しを確認した制御部２１は、それぞれ返却終了通知を主制御部２へ送出する。
これらの返却終了通知を受けた主制御部２は、入金処理を終了させる。
ＳＡ９、入金金額が確定されたと判定した主制御部２は、突合処理を実行する。
【００５０】
すなわち、主制御部２は、ＩＤカードから読取ったレジ番号およびカード番号を基に記憶部３の入出金情報記録テーブルを検索し、同一のレジ番号およびカード番号が記録された直近の入金情報（入金情報の詳細は後述する。）を特定し、それまでに存在する同一のレジ番号およびカード番号が記録された全ての出金情報を抽出し、抽出した出金情報の突合枠に突合フラグ（本実施例では、「済」）を書込んで入出金情報記録テーブルを更新する。
【００５１】
ＳＡ１０、そして、主制御部２は、抽出した出金情報の出金金額を合計した額を、確定された入金金額から減じて売上金額を算出し、これを記憶部３に記憶されている累計売上金額に加えて、累計売上金額を更新する。
ＳＡ１１、突合処理を終えた主制御部２は、記憶部３から紙幣回収庫１６の金種別の収納枚数、基準収納額、および一時保存した取込処理における金種別の枚数の中から釣銭金種以外の紙幣（本実施例では、万円券、２千円券が該当する。）の金種別の枚数を読出し、紙幣回収庫１６の金種別の収納枚数を基に紙幣回収庫１６に収納されている回収庫収納金額を算出すると共に、取込まれた釣銭金種以外の紙幣の合計金額である収納予定金額を算出する。
【００５２】
回収庫収納金額および収納予定金額を算出した主制御部２は、回収庫収納金額と収納予定金額との合計額が、基準収納額以下の場合は、収納可能と判定してステップＳＡ１４へ移行する。回収庫収納金額と収納予定金額との合計額が、基準収納額を超える場合はステップＳＡ１２へ移行する。
ＳＡ１２、回収庫収納金額と収納予定金額との合計額が、基準収納額を超えることを認識した主制御部２は、記憶部３から更新後の累計売上金額を読出し、回収庫収納金額と収納予定金額との合計額が、累計売上金額以下の場合は、収納可能と判定してステップＳＡ１４へ移行する。回収庫収納金額と収納予定金額との合計額が、累計売上金額を超える場合はステップＳＡ１３へ移行する。
【００５３】
ＳＡ１３、回収庫収納金額と収納予定金額との合計額が、累計売上金額を超えることを認識した主制御部２は、紙幣回収庫１６に累積売上金額を限度として紙幣を収納するために補完収納処理を実行する。
すなわち、主制御部２は、累積売上金額から回収庫収納金額を減じてその差額を算出し、記憶部３から読出した取込処理における釣銭金種以外の紙幣の金種別の枚数を基に、小額金種を優先させて差額を超えない限度で収納枚数を決定する。
【００５４】
例えば、差額が２５９２１円であり、収納予定金額を構成する金種の枚数が、万円券が３枚、２千円券が２枚である場合は、釣銭金種以外の紙幣の最小額である２千円券は２枚、次の小額金種である万円券は１枚として、差額の金種別の収納枚数を作成する。
差額の金種別の収納枚数を作成した主制御部２は、一時待機させた紙幣の補完収納を指示する旨に差額の金種別の収納枚数を記した紙幣補完収納指令を紙幣取扱部１０の制御部１１へ、一時待機させた硬貨の収納を指示する旨の硬貨収納指令を硬貨取扱部２０の制御部２１へそれぞれ送出する。
【００５５】
紙幣補完収納指令を受けた紙幣取扱部１０の制御部１１は、紙幣一時保留部１４に一時待機させた紙幣を紙幣鑑別部１３へ搬送し、その紙幣の金種等を鑑別して金種別に計数し、鑑別された紙幣が釣銭金種の紙幣の場合は紙幣釣銭収納庫１５へ搬送して金種別に収納し、鑑別された紙幣が釣銭金種以外の紙幣の場合は、差額の金種別の収納枚数を限度として紙幣回収庫１６へ搬送して金種別に収納し、差額の金種別の収納枚数を超える紙幣は、紙幣リジェクト庫１７へ搬送して収納する。
【００５６】
前記の例では、２千円券２枚、万円券１枚は紙幣回収庫１６へ収納され、万円券２枚は紙幣リジェクト庫１７へ収納される。
また、硬貨収納指令を受けた硬貨取扱部２０の制御部２１は、硬貨一時保留部２４に金種別に一時待機させた硬貨を、硬貨一時保留部２４からそれぞれ硬貨釣銭収納庫３５へ繰出して金種別に収納する。
【００５７】
そして、差額の金種別の収納枚数の紙幣回収庫１６への収納等の補完収納を終えた制御部１１は補完収納終了通知を、および釣銭金種、つまり全ての金種の硬貨の硬貨釣銭収納庫２５への収納を終えた制御部２１は収納終了通知を、それぞれ主制御部２へ送出する。
補完収納終了通知および収納終了通知を受けた主制御部２は、紙幣リジェクト庫１７に収納された釣銭金種以外の紙幣の金種別の枚数を、記憶部３に記憶されている紙幣リジェクト庫１７の金種別の収納枚数に加えて紙幣リジェクト庫１７の金種別の収納枚数を更新すると共に、紙幣回収庫１６、紙幣釣銭収納庫１５、硬貨釣銭収納庫２５に収納した金種別の枚数を、記憶部３に記憶されているそれぞれの金種別の収納枚数に加えてそれぞれの金種別の収納枚数を更新し、補完収納処理の終了させてステップＳＡ１５へ移行する。
ＳＡ１４、釣銭金種以外の紙幣の紙幣回収庫１６への収納が可能と判定した主制御部２は、一時待機させた現金の収納処理を実行する。
【００５８】
すなわち、主制御部２は、一時待機させた紙幣の収納を指示する旨の紙幣収納指令を紙幣取扱部１０の制御部１１へ、一時待機させた硬貨の収納を指示する旨の硬貨収納指令を硬貨取扱部２０の制御部２１へそれぞれ送出する。
紙幣収納指令を受けた紙幣取扱部１０の制御部１１は、紙幣一時保留部１４に一時待機させた紙幣を紙幣鑑別部１３へ搬送し、その紙幣の金種等を鑑別して金種別に計数し、鑑別された紙幣が釣銭金種以外の紙幣の場合は紙幣回収庫１６へ搬送して金種別に収納し、鑑別された紙幣が釣銭金種の紙幣の場合は紙幣釣銭収納庫１５へ搬送して金種別に収納する。
【００５９】
また、硬貨収納指令を受けた硬貨取扱部２０の制御部２１は、上記ステップＳＡ１３と同様にして、硬貨を硬貨釣銭収納庫３５へ金種別に収納する。
そして、釣銭金種以外の紙幣の紙幣回収庫１６への収納および釣銭金種の紙幣の紙幣釣銭収納庫１５への収納を終えた制御部１１、並びに釣銭金種の硬貨の硬貨釣銭収納庫２５への収納を終えた制御部２１は、それぞれ収納終了通知を主制御部２へ送出する。
【００６０】
これらの収納終了通知を受けた主制御部２は、紙幣回収庫１６、紙幣釣銭収納庫１５、硬貨釣銭収納庫２５に収納した金種別の枚数を、記憶部３に記憶されているそれぞれの金種別の収納枚数に加えて、それぞれの金種別の収納枚数を更新し、収納処理を終了させてステップＳＡ１５へ移行する。
ＳＡ１５、補完収納処理または収納処理を終えた主制御部２は、読取ったレジ番号およびカード番号、入力された個人ＩＤ、入金処理の処理日時、入金処理の旨の区分、入金された金額、入金された金種別の枚数、空枠の締上日時、突合不要の旨の突合フラグ（本実施例では「−」）の突合からなる入金情報を作成し、記憶部３の入出金情報記録テーブルの空欄となっている記録欄に次の通番を付与して入金情報の各情報を書込み、入出金情報記録テーブルを更新する。
【００６１】
ＳＡ１６、入金情報の記録を終えた主制御部２は、売上金額や入金情報を基に印刷データを生成し、これを伝票印刷部７へ送って、入金された金種別の枚数やその合計金額、レジ番号、売上金額等を印刷した伝票を伝票印刷部７から排出して発行し、レジ担当者は発行された伝票を受取る。
この場合に、紙幣リジェクト庫１７に収納された紙幣がある場合は、その金種と枚数が伝票に印刷される。
【００６２】
発行した伝票の受取りを確認した主制御部２は、入金処理を終了させ、カードリーダ５によるＩＤカードの検知を待って待機する。
このようにして、本実施例の現金入出金装置１による各レジスタ単位の入金処理が実行され、その入金情報が記憶部３の入出金情報記録テーブルに記録されると共に、入金された釣銭金種の紙幣は、全て紙幣釣銭収納庫１５または硬貨釣銭収納庫２５に収納される。
【００６３】
以下に、図４に示すフローチャートを用い、ＳＢで示すステップに従って本実施例の入金処理について説明する。
ＳＢ１、店舗全体の現金の締上げを行う管理者は、カードリーダ５に管理者のＩＤカードをパスさせる。
これを検知した現金入出金装置１の主制御部２は、上記ステップＳ１と同様にして、ＩＤカードのカード情報を読取る。
【００６４】
ＳＢ２、カード情報を読取った主制御部２は、上記ステップＳ２と同様にして、個人ＩＤ等入力画面を表示し、管理者が個人ＩＤおよびパスワードを入力すると、これを検知した主制御部２は、上記ステップＳ２と同様にして、ＩＤカードの正当性を判定してステップＳＢ３へ移行する。
ＳＢ３、ＩＤカードが正当であることを判定した主制御部２は、カード情報の利用者区分に基づき、その管理者が操作を許可されている業務の内容を表示したメニュー画面を表示部４の画面に表示する。
【００６５】
ＳＢ４、管理者は、表示されたメニュー画面を確認して締上げを選択し、入力部６の操作キーから締上処理の操作キーを押下する。
ＳＢ５、操作キーの押下により処理の入力を受付けた主制御部２は、締上処理が選択されたことを認識し、記憶部３の入出金情報記録テーブルから、締上日時が書込まれていない入金情報と、締上日時が書込まれておらず、かつ突合フラグが書込まれている出金情報とを全て、つまり前回の締上処理から今回の締上処理までの間の突合せが行われた入金情報と出金情報、およびＩＤカードに不具合が生じた際に、他のＩＤカードを用いて入金処理を行った場合の集計結果の不具合を防止するために、前回締上処理以前の締上日時が書込まれていない出金情報を全て抽出すると共に、記憶部３の売上金額の累積額、および紙幣釣銭収納庫１５、硬貨釣銭収納庫２５の金種別の収納枚数を読出し、抽出した入金情報および出金情報の入金金額および出金金額をレジ番号別に集計すると共に、入金情報および出金情報の金種別の枚数をレジ番号別に集計し、各レジ番号別にその売上金額（＝入金金額−出金金額）を算出する。
【００６６】
そして、主制御部２は、記憶部３から読出した売上金額の累積額を総売上金額とし、入金金額を合計額を総入金金額、出金金額の合計金額を総出金金額とし、総売上金額、および総入金金額、総出金金額とこれらの金種別の枚数、レジ番号別の売上金額とその金種別の枚数、釣銭用として収納されている紙幣釣銭収納庫１５、硬貨釣銭収納庫２５の金種別の収納枚数、この間に実行された入金処理と出金処理の処理履歴等を表示した締上金額確認画面を表示部４の画面に表示する。
【００６７】
管理者は、表示された内容を確認して、入力部６の操作キーによって「確認」を押下する。
ＳＢ６、操作キーの押下により指示の入力を受付けた主制御部２は、「確認」の操作キーの押下により締上金額が確認されたことを認識し、記憶部３から紙幣回収庫１６の金種別の収納枚数、および紙幣リジェクト庫１７の金種別の収納枚数を読出し、これらを基に紙幣回収庫１６および紙幣リジェクト庫１７に収納されている売上収納金額を算出し、総売上金額から売上収納金額を減じて紙幣回収庫１６および硬貨回収庫２６へ売上金の不足分として収納する清算金額を算出し、その清算金額の内訳、つまり追加収納する金種別の清算枚数を作成する。
【００６８】
ＳＢ７、清算金額の内訳を作成した主制御部２は、不足している売上金額を補充するために現金の清算処理を実行する。
すなわち、主制御部２は、追加収納する金種別の紙幣の清算枚数を記した紙幣清算指令を紙幣取扱部１０の制御部１１へ、追加収納する金種別の硬貨の清算枚数を記した硬貨清算指令を硬貨取扱部２０の制御部２１へそれぞれ送出する。
【００６９】
紙幣清算指令を受けた紙幣取扱部１０の制御部１１は、紙幣清算指令の金種に該当する紙幣を紙幣釣銭収納庫１５から紙幣鑑別部１３により鑑別、計数しながら指定された清算枚数分繰出し、これを紙幣回収庫１６へ搬送して金種別に集積する。
また、硬貨清算指令を受けた硬貨取扱部２０の制御部２１は、硬貨清算指令の金種に該当する硬貨を硬貨釣銭収納庫２５から硬貨鑑別部２３により鑑別、計数しながら指定された清算枚数分繰出し、これを硬貨回収庫２６へ搬送して金種別に集積する。
【００７０】
紙幣の追加収納を終えた制御部１１、および硬貨の追加収納を終えた制御部２１は、それぞれ清算終了通知を主制御部２へ送出する。
ＳＢ７、これらの清算終了通知を受けた主制御部２は、現金の清算処理を終了を認識し、上記ステップＳＢ５で抽出した全ての入金情報および出金情報の締上日時枠に、締上処理を実行した日時を書込んで、入出金情報記録テーブルを更新すると共に、紙幣釣銭収納庫１５、硬貨釣銭収納庫２５から繰出した金種別の清算枚数を、記憶部３に記憶されているそれぞれの金種別の収納枚数から減じ、紙幣回収庫１６、硬貨回収庫２６に収納した金種別の清算枚数を、記憶部３に記憶されているそれぞれの金種別の収納枚数に加えて、それぞれの金種別の収納枚数を更新する。
【００７１】
ＳＢ９、入出金情報記録テーブルの更新等を終えた主制御部２は、締上金額確認画面で表示した内容の中で、釣銭用として収納されている紙幣釣銭収納庫１５、硬貨釣銭収納庫２５の金種別の収納枚数を現金の移動後の収納枚数に書替えた情報を基に印刷データを生成し、これを伝票印刷部７へ送って、締上金額確認画面と同等の内容および新たな釣銭準備金の内訳等を印刷した伝票を伝票印刷部７から排出して発行し、管理者は発行された伝票を受取る。
【００７２】
この場合に、紙幣リジェクト庫１７に補完収納された紙幣の金種とその枚数が伝票に印刷される。
発行した伝票の受取りを確認した主制御部２は、締上処理を終了させ、カードリーダ５によるＩＤカードの検知を待って待機する。
このようにして、本実施例の現金入出金装置１による店舗全体の締上処理が実行され、その締上日時が記憶部３の入出金情報記録テーブルに記録されると共に、総売上金額に相当する紙幣および硬貨が、紙幣回収庫１６、紙幣リジェクト庫１７および硬貨回収庫２６にそれぞれ収納される。
【００７３】
上記のように、本実施例の現金入出金装置１においては、入金処理のときに、累計売上金額を超えない限度で釣銭金種以外の紙幣を紙幣回収庫１６に収納し、累計売上金額を超える場合は紙幣リジェクト庫に補完収納し、釣銭金種の紙幣や硬貨は、全て紙幣釣銭収納庫１５および硬貨釣銭収納庫２５へ収納するので、常に、釣銭金種を構成する小額金種の紙幣や硬貨を釣銭のために収納しておくことができ、釣銭金種の紙幣や硬貨のリサイクル効率を高めて、釣銭の補充回数を減少させることができる。
【００７４】
また、累計売上金額を超える場合の釣銭金種以外の紙幣を紙幣リジェクト庫へ収納するので、新たな収納庫を増設することなく、釣銭金種の紙幣や硬貨のリサイクル効率を高めることができる。
更に、入金処理時に、紙幣回収庫に収納する基準収納額を設定したので、店舗の営業中にレジスタの収納額が過剰になった場合の途中入金（この場合は、釣銭が入金されないため、売上金額が負の値になる場合がある。）や、レジスタから回収する現金を収納する初期の入金処理のときに、入金された釣銭金種以外の紙幣が累計売上金額を超える場合においても、釣銭金種以外の紙幣を紙幣回収庫１６に収納することが可能になり、常に釣銭金種の紙幣や硬貨のリサイクル効率を高く保つことができる。
【００７５】
以上説明したように、本実施例では、紙幣回収庫に釣銭金種以外の紙幣を収納するときの基準収納額を予め設定しておき、入金処理のときに、基準収納額を限度として、紙幣入金部に投入された釣銭金種以外の紙幣を紙幣回収庫に収納し、基準収納額を超える場合は、累計売上金額を限度として、釣銭金種以外の紙幣を紙幣回収庫に収納するようにしたことによって、釣銭金種の紙幣や硬貨は、全て紙幣釣銭収納庫および硬貨釣銭収納庫へ収納することができ、釣銭金種を構成する小額金種の紙幣や硬貨を、常に釣銭のために収納しておくことが可能になり、釣銭として用いる紙幣や硬貨を残存させて、釣銭のリサイクル効率を向上させることができる。
【００７６】
なお、上記実施例においては、ＩＣカードには、利用者区分とレジ番号、カード番号等を記録するとして説明したが、レジ番号を記録せずに個人登録情報のみに登録しておいてもよく、レジ番号を処理時に入力させるようにしてもよい。
また、上記実施例のステップＳ９、ＳＡ１２、ＳＢ９においては、入出金情報記録テーブルの更新後に伝票を発行するとして説明したが、伝票の発行後に入出金情報記録テーブルの更新を行うようにしてもよい。
【図面の簡単な説明】
【００７７】
【図１】実施例の現金入出金装置を示すブロック図
【図２】実施例の出金処理を示すフローチャート
【図３】実施例の入金処理を示すフローチャート
【図４】実施例の締上処理を示すフローチャート
【図５】実施例の入出金情報記録テーブルの構成例を示す説明図
【符号の説明】
【００７８】
１    現金入出金装置
２    主制御部
３    記憶部
４    表示部
５    カードリーダ
６    入力部
７    伝票印刷部
１０  紙幣取扱部
１１、２１  制御部
１２  紙幣入出金口
１３  紙幣鑑別部
１４  紙幣一時保留部
１５  紙幣釣銭収納庫
１６  紙幣回収庫
１７  紙幣リジェクト庫
２０  硬貨取扱部
２２  硬貨入金口
２３  硬貨鑑別部
２４  硬貨一時保留部
２５  硬貨釣銭収納庫
２６  硬貨回収庫
２６  硬貨リジェクト口
２８  硬貨出金庫
【図１】
2008186189.tif 000003
【図２】
2008186189.tif 000004
【図３】
2008186189.tif 000005
【図４】
2008186189.tif 000006
【図５】
2008186189.tif 000007